(57)【特許請求の範囲】
【請求項１】
肥料タンク（３７）内の肥料を送風によって施肥部（３９）に送給する送風機（４１）と、前記送風機（４１）に連通する吸気口（１２７）を下向きに開口する吸気ケース（１２６ａ）とを備え、前記吸気口（１２７）に網体（１３２）を設けた田植機において、前記吸気ケース（１２６ａ）の外側に補助吸気ケース（１３５）を配置し、前記吸気口（１２７）より大径の前吸気口（１３４）を前記補助吸気ケース（１３５）にて形成し、前記前吸気口（１３４）と、この上方の吸気口（１２７）とを介して前記送風機（４１）に空気が吸込まれるように構成したことを特徴とする田植機。
【発明の詳細な説明】
【０００１】
【発明の属する技術分野】
本発明は例えば苗載台及び植付爪を備えて連続的に苗植作業を行う田植機にあって、機体にミッドマウント型の施肥機を装備させた田植機に関する。
【０００２】
【発明が解決しようとする課題】
肥料タンク内の肥料を送風機からの空気力によって施肥部に送給するように施肥機にあっては、送風機の空気吸込口は通常横水平方向に向け開設されているが、雨水・夾雑物・塵なども空気吸込口より同時に吸込まれ易く肥料詰まりの原因となったり、肥料に異物が混入する要因となるばかりでなく、安全性に欠けていた。
【０００３】
【課題を解決するための手段】
請求項１に係る発明は、肥料タンク内の肥料を送風によって施肥部に送給する送風機と、前記送風機に連通する吸気口を下向きに開口する吸気ケースとを備え、前記吸気口に網体を設けた田植機において、前記吸気ケースの外側に補助吸気ケースを配置し、前記吸気口より大径の前吸気口を前記補助吸気ケースにて形成し、前記前吸気口と、この上方の吸気口とを介して前記送風機に空気が吸込まれるように構成した。したがって、前記吸気口に吸込まれる前に、前吸気口にて雨水・夾雑物・塵などの粗除去が行われて、雨水・夾雑物・塵などが吸気口より吸込まれるのを防止して、肥料の詰まり事故などが殆どない良好な施肥作業が行える。
【０００６】
【発明の実施の形態】
以下、本発明の実施例を図面に基づいて詳述する。図１は送風部の背面説明図、図２は乗用田植機の側面図、図３は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００７】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００８】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
【０００９】
さらに、図４、図５にも示す如く、肥料を入れる肥料タンクである施肥ホッパ（３７）と、肥料を定量供給する肥料繰出ケース（３８）と、施肥部であるフロート（３４）（３５）の側条作溝器（３９）にフレキシブル形搬送ホース（４０）を介して肥料を排出させるターボブロワー型送風機（４１）と、円筒形のエアタンク（４２）とを、前記施肥機（３６）に備えると共に、エアタンク（４２）右側端に送風機（４１）を取付け、６条分の６組の肥料繰出ケース（３８）…をエアタンク（４２）上側に配設させている。
【００１０】
さらに、図６乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥機（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥機（３６）を昇降自在に取付けると共に、左右一対の２本のガススプリング（５０）（５０）によって昇降自在に施肥機（３６）を取付け、車体フレーム（３）後端部に配置させるリヤアクスルケース（７）に施肥機（３６）重量を支持させるもので、図１２にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【００１１】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥機（３６）の前後幅方向の重心位置にガススプリング（５０）を連結させるもので、施肥機（３６）の重量と略等しいかまたは若干小さい伸張力をガススプリング（５０）が有するように構成している。
【００１２】
さらに、図１２乃至図１５に示す如く、左右の軸受板（５１）（５１）を丸パイプ形の前フレーム（５３）によって一体固定させ、施肥機（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を摺動自在に取付け、図１２に示す軸受板（５１）の係合孔（５８）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また図１５、図１９に示す如く、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１３】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として３ユニットの繰出ケース（３８）…を左右に並設させている。
【００１４】
さらに、図１６乃至図１８に示す如く、前記繰出ケース（３８）の上面前側の取入口（６１）に前記ホッパ（３７）の下部出口（６２）を嵌着させると共に、前記繰出ケース（３８）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥機（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１５】
また、前記繰出ケース（３８）下面に閉塞レバー（６５）を介して底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１６】
また、取入口（７３）及び吹出口（７４）を有する入口板（７５）と、同一円周上に略四角形の複数の繰出口（７６）…を有する繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）に繰出軸（８０）を略垂直に回転自在に軸支させ、各板（７５）（７７）（７９）の中央部に繰出軸（８０）下端側を貫通させ、繰出軸（８０）下端にゴム輪（８１）を着脱自在に係止させ、各板（７５）（７７）（７９）を下方に抜出し自在に繰出軸（８０）に支持させ、かつ閉塞レバー（６５）によって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１７】
また、前記取入口（７３）端部で繰出口（７６）上面の余分な肥料を取除くブラシ（８２）を備え、高さ調節する撮（８３）を介して前記ブラシ（８２）を繰出ケース（３８）に高さ調節自在に取付け、繰出板（７７）上面に対するブラシ（８２）下端の高さ調節を繰出ケース（３８）外部から行い、繰出口（７６）の肥料送出量を調節するように構成している。
【００１８】
また、前記入口板（７５）の吹出口（７４）に対向させる圧風取入口（８４）を繰出ケース（３８）に形成し、前記エアタンク（４２）の中空部と前記圧風取入口（８４）を分流パイプ（８５）によって連通させ、前記パイプ（８５）及び取入口（８４）を介して送風機（４１）及びエアタンク（４２）からの送風を吹出口（７４）に供給し、排出口（７８）位置に移動した繰出口（７６）に吹出口（７４）から送風し、該送風によって繰出口（７６）の肥料を下方に強制的に落下させ、粒形の肥料またはこの粉が繰出口（７６）内に残るのを防ぐように構成している。
【００１９】
さらに、図７、図１０、図１５にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００２０】
また、前記左の軸受板（５１）にブラケット（９４）及び軸（９５）を介して繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。そして、運転席（１３）方向に突出させる前記レバー（９６）の回転操作によってネジ部（１００）を回転させることにより、前記各リンク（９８）（９９）が一体的に回転し、前記調節支点（１０１）位置を変更させるもので、運転席（１３）の作業者によって前記レバー（１０２）の繰出量調節操作が行えるように構成している。
【００２１】
また、前記後面フレーム（９３）に軸受板（１０３）を介して繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝え、図示しない植付クラッチの入切によって植付部（１５）と施肥機（３６）を同時に作動させたり停止させる操作を行い、また前記出力軸（９０）に対してクランク板（９１）を取外して駆動部を切離して施肥機（３６）の上昇部を持上げる操作を行うもので、前記レバー（９６）操作により調節支点（１０１）を位置変更させ、伸縮ロッド（１０６）の往復ストロークを無段階に変更させて肥料繰出量の無段調節を行うように構成している。
【００２２】
さらに、図９に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００２３】
また、前記繰出ケース（３８）に条止めクラッチケース（１１４）を固定させると共に、前記繰出軸（８０）上端側にベベルギヤ（１１５）（１１６）を介して入力軸（１１７）を常時連結させるもので、入力軸（１１７）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に、後面フレーム（９８）のアウタ受（１２１）により張設させる条止めワイヤ（１２２）を介して、前記クラッチアーム（１１９）を連結させる。そして、前記植付け条止めユニットクラッチレバー（１２０）操作によって６条植え用の各植付爪（１７）…のいずれかを停止させたとき、停止させた植付爪（１７）に対応する前記ケース（１１４）の条止めクラッチを切断動作させて施肥動作を中止させ、植付爪（１７）によって苗を植付ける条にだけ施肥を行うように構成している。
【００２４】
さらに、図１２乃至図１４にも示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２５】
図１３、図１６、図１８にも示す如く、前記繰出ケース（３８）と前フレーム（５３）間に設けるブラケット（６０）には横方向に長径の覗穴（１２４）を開設していて、繰出ケース（３８）に底蓋（６６）を組付ける際、苗載台（１６）側に回り込むことなく正面側より容易に位相などの確認を行って、これら組付けの取扱い性を向上させるように構成している。
【００２６】
また図１６に示す如く、前記ホースジョイント（６９）と搬送ホース（４０）との接続にあっては、ホースジョイント（６９）の出口内径部（６９ａ）に搬送ホース（４０）の入口外径部（４０ａ）を、別途ジョイントなどを用いることなく直接的に挿入結合させて、軽量・コンパクトな構成とすると共に着脱操作の容易化を図ってメンテナンス性を向上させるように構成している。
【００２７】
図１・図１９にも示す如く、送風ファン（１２５）を内設させる合成樹脂製のファンケース（１２６）と、該ファンケース（１２６）に形成する空気吸込口である吸気口（１２７）及び排気口（１２８）と、前記送風ファン（１２５）を回転させる電動ファンモータ（１２９）を、前記送風機（４１）に設け、ファンケース（１２６）に固定するステー（１３０）をホッパ（３７）側に支点軸（１３１）を介し水平回転自在に支持させて、送風機（４１）を収納可能とするように構成している。
【００２８】
また、前記ファンケース（１２６）の吸気口（１２７）は、該ケース（１２６）の背面側で下方に一体延設する断面４角形の吸気ケース（１２６ａ）の下端に下向きに設けて、雨水・夾雑物・塵などがファンケース（１２６）内に吸込まれるのを防止すると共に、前記吸気口（１２７）に格子状の網体（１３２）を張設して、軽量且つ大きな夾雑物や塵などが吸気口（１２７）付近まで飛来する状態のときにも、網体（１３２）によってこれらの吸込みを防止して防塵性を向上させ、また手や衣服が誤って吸気口（１２７）に差し込まれるのを防止して安全性を向上させるように構成している。
【００２９】
図２０は、前記吸気ケース（１２６ａ）に前吸込風路となる略Ｌ形の補助吸気ケース（１３３）を連設させ、該ケース（１３３）先端の吸気口（１２７）を車体カバー（１２）のスカート部（１２ａ）内側に臨ませて、雨水や塵などの吸込みをより防止するように構成したものである。
【００３０】
図２１は、下向きの吸気口（１２７）を有する吸気ケース（１２６ａ）の外側に、該吸気口（１２７）より大径の前吸気口（１３４）を有する前吸込風路である補助吸気ケース（１３５）を設けて、前記吸気口（１２７）と、この下方の吸込流速の遅い前吸気口（１３４）とで雨水や塵などの吸込みをより防止するように構成したものである。
【００３１】
図２２は前記吸気ケース（１２６ａ）に前吸込風路である補助吸気ケース（１３６）を連設し、該補助吸気ケース（１３６）の内部をラビリンス風路（１３７）に形成して、雨水や塵などの吸込をより効果的に防止するように構成したものである。
【００３２】
図８、図２３、図２４に示す如く、３ユニットを構成する中央及び左右両側の２条１組の繰出ケース（３８）とエアタンク（４２）とを接続する２本のホースである分流パイプ（８５）に、これら２本のパイプ１まとめとするホースクランプ（１３８）を設けるもので、バネ網で形成する四角長板の両側を円形に折曲げて一部切欠円形の左右係止部（１３８ａ）に形成し、左右隣接する２条分の２本のパイプ（８５）の上下２箇所に着脱自在に係入させて１まとめとし、これらパイプ（８５）が植付駆動用のリンク（１１１）やロッド（１１３）などに引掛って破損することを防止すると共に、これら近傍の調節レバー（９６）やクラッチレバー（１１８）などレバー類を操作する際の障害となるのを防止して操作性を向上させるように構成している。
【００３３】
また図４、図６、図２５、図２６に示す如く、前記搬送ホース（４０）において中央２条分のホース（４０ａ）の中間を植付水平制御用のバルブユニットカバー（１３９）に支持させるもので、前記支持フレーム（２４）の上端側に設ける水平制御用シリンダ（１４０）などを有する水平制御用バルブユニットのバルブユニットカバー（１３９）の左右下側に、ホース（４０ａ）を上下より開閉自在に挾持するホースクランプ（１４１）を設けて、中央２条分のホース（４０ａ）の垂れ下がりを防止し、ホース（４０ａ）とレバー類の干渉も防止すると共に、植付部（１５）の昇降の際にも引掛けることなく良好に追従対応して、ホース（４０ａ）を安定性良好にバルブユニットカバー（１３９）に固定するように構成したものである。
【００３４】
さらに、左右各２条分の搬送ホース（４０ｂ）を１まとめとして図２６に示す如き前後回動式の２つの挾持体（１４３）を有するホースクランプ（１４２）に係止させるもので、板バネ製で一部切欠円形の挾持体（１４３）の２つを中央で回動軸（１４４）を介して相互に連結させ、これらの左右外側に切欠きを位置させてホース（４０ｂ）の挾持口（１４５）に形成して、左右各２条分のホース（４０ｂ）を１まとめとしてクランプ（１４２）に束ねることによって、ホース（４０ｂ）の垂れ下がりをなくして後輪（８）との干渉を防止するように構成している。またこの場合左右の隣接ホース（４０ｂ）間に多少のズレが発生しても挾持体（１４３）の軸（１４４）を中心とした回動によって良好に対応可能とさせることができるものである。
【００３５】
【発明の効果】
上記から明らかなように、請求項１に係る発明は、肥料タンク（３７）内の肥料を送風によって施肥部（３９）に送給する送風機（４１）と、前記送風機（４１）に連通する吸気口（１２７）を下向きに開口する吸気ケース（１２６ａ）とを備え、前記吸気口（１２７）に網体（１３２）を設けた田植機において、前記吸気ケース（１２６ａ）の外側に補助吸気ケース（１３５）を配置し、前記吸気口（１２７）より大径の前吸気口（１３４）を前記補助吸気ケース（１３５）にて形成し、前記前吸気口（１３４）と、この上方の吸気口（１２７）とを介して前記送風機（４１）に空気が吸込まれるように構成した。したがって、前記吸気口（１２７）に吸込まれる前に、前吸気口（１３４）にて雨水・夾雑物・塵などの粗除去が行われて、雨水・夾雑物・塵などが吸気口（１２７）より吸込まれるのを防止でき、肥料の詰まり事故などが殆どない良好な施肥作業が行うことができる。
【図面の簡単な説明】
【図１】送風部の背面説明図である。
【図２】全体の側面図である。
【図３】同平面図である。
【図４】施肥機部の平面図である。
【図５】同背面図である。
【図６】同側面説明図である。
【図７】昇降レール部側面説明図である。
【図８】肥料繰出ケース部の側面説明図である。
【図９】肥料繰出ケース部の平面説明図である。
【図１０】ベースフレーム部の背面説明図である。
【図１１】肥料繰出ケース部の背面説明図である。
【図１２】軸受板部の側面説明図である。
【図１３】取手部の平面説明図である。
【図１４】同背面説明図である。
【図１５】同側面説明図である。
【図１６】肥料繰出ケースの断面側面説明図である。
【図１７】同断面背面説明図である。
【図１８】同断面平面説明図である。
【図１９】送風機の断面説明図である。
【図２０】送風機部の正面説明図である。
【図２１】送風機部の正面説明図である。
【図２２】送風機部の正面説明図である。
【図２３】施肥ホッパ部の正面説明図である。
【図２４】ホースクランプの説明図である。
【図２５】搬送ホース部の正面説明図である。
【図２６】ホースクランプの説明図である。
【符号の説明】
（３７）    施肥ホッパ（肥料タンク）
（３９）    作溝器（施肥部）
（４１）    送風機
（１２７）  吸気口（空気吸込口）
（１３２）  網体
（１３３）  補助吸気ケース（前吸込風路）
（１３５）  補助吸気ケース（前吸込風路）
（１３６）  補助吸気ケース（前吸込風路）
【図１】
0003612604.tif 000002
【図２】
0003612604.tif 000003
【図３】
0003612604.tif 000004
【図４】
0003612604.tif 000005
【図５】
0003612604.tif 000006
【図６】
0003612604.tif 000007
【図７】
0003612604.tif 000008
【図８】
0003612604.tif 000009
【図９】
0003612604.tif 000010
【図１０】
0003612604.tif 000011
【図１１】
0003612604.tif 000012
【図１２】
0003612604.tif 000013
【図１３】
0003612604.tif 000014
【図１４】
0003612604.tif 000015
【図１５】
0003612604.tif 000016
【図１６】
0003612604.tif 000017
【図１７】
0003612604.tif 000018
【図１８】
0003612604.tif 000019
【図１９】
0003612604.tif 000020
【図２０】
0003612604.tif 000021
【図２１】
0003612604.tif 000022
【図２２】
0003612604.tif 000023
【図２３】
0003612604.tif 000024
【図２４】
0003612604.tif 000025
【図２５】
0003612604.tif 000026
【図２６】
0003612604.tif 000027